(57)【要約】【課題】  本体ケース内で発生する気流の乱れを抑制して円滑な吸気・排気を行うことが可能な送風装置を提供すること。【解決手段】  本発明に係る送風装置１は、空気の吸入を行うために吸入開口１１ｅが形成されたファンケース１１と、ファンケース１１内に収納される回転ファン９と、回転ファン９を回転させるファンモータ１０と、ファンモータ１０と回転ファン９が収納されたファンケース１１とが内設される本体ケース２とを有する。本体ケース２には、ファンケース１１外側面１１ｆと本体ケース２の内側面２ｅとの間を通じて空気を吸入開口１１ｅへと導くための吸込口２ｃ、２ｄが複数形成される。本体ケース２の内部には、一の吸込口３１より吸入開口１１ｅへと導かれる空気の流れと他の吸込口２ｃ、２ｄより吸入開口１１ｅへと導かれる空気の流れとを分流する分流手段１６が、ファンケース１１の外側面１１ｆ又は本体ケース２の内側面２ｅに設けられる。【選択図】  図９
2008025978.tif 000002
【特許請求の範囲】
【請求項１】
空気の吸入を行うために吸入開口が形成されたファンケースと、
該ファンケース内に収納される回転ファンと、
該回転ファンを回転させるファンモータと、
該ファンモータと前記回転ファンが収納された前記ファンケースとが内設される本体ケースとを有し、
該本体ケースには、前記ファンケース外側面と前記本体ケースの内側面との間を通じて前記空気を前記吸入開口へと導くための吸込口が複数形成され、
前記本体ケースの内部には、一の吸込口より前記吸入開口へと導かれる空気の流れと他の吸込口より前記吸入開口へと導かれる空気の流れとを分流する分流手段が、前記ファンケースの外側面又は前記本体ケースの内側面に設けられること
を特徴とする送風装置。
【請求項２】
前記一の吸込口は、前記本体ケースの底面側において当該本体ケースの内側面と前記ファンケース外側面との隙間によって形成された底面開口であり、
前記他の吸込口は、前記本体ケースの側面に形成される側面開口であること
を特徴とする請求項１に記載の送風装置。
【請求項３】
前記底面開口は、前記本体ケースの角部に複数形成されること
を特徴とする請求項２に記載の送風装置
【発明の詳細な説明】
【技術分野】
【０００１】
本発明は、空気の吸入を行うために吸入開口が形成されたファンケースと、ファンケース内に収納される回転ファンと、回転ファンを回転させるファンモータと、ファンモータと回転ファンが収納されたファンケースとが内設される本体ケースとを有する送風装置に関する。
【背景技術】
【０００２】
一般的な建築物には、建物内の空調を行うために多くの送風装置が設置されている。特に近年では、居室を有する建物に２４時間換気システムを設置することが義務付けられたことから、浴室空調装置等を室内換気用の送風装置として利用することが多くなっている。
【０００３】
浴室空調装置では、浴室内の空気を吸収するためのファンとしてシロッコファン等の多翼ファンが多く用いられている。シロッコファンは、周縁部に複数の翼が配設された円盤状のファン本体を回転させることによって、回転中心から周方向へと空気を排出させる構造となっている。
【０００４】
シロッコファンを使用した浴室空調装置は、その構造から設備の厚み（高さ）を低くすることができるため、装置本体をコンパクトに設計することが容易である。このため、シロッコファンを用いた送風装置は、設置スペースが限られる浴室天井等に設置しやすいという特徴を備えている（例えば、特許文献１参照）。
【０００５】
一般的な浴室空調装置は、シロッコファン等を１つだけ有し、ダンパーを用いて空気の吹き出し方向を変更させて浴室の空気を循環又は排気させ構造となっている。一方で、浴室内の空気を循環させるための循環ファンユニットと、浴室等の空気を屋外等に排気させるための排気ファンユニットとの２つのファンユニットを備え、それぞれのファンユニットを駆動させることによって個別に排気・循環を行う構造を有する浴室空調装置も存在する。
【０００６】
循環ファンユニットと排気ファンユニットとの２つのファンユニットを備える浴室空調装置では、通常、循環ファンユニットの上方に排気ファンユニットが積層設置されて本体ケース内に内設されている。このため、排気ファンユニットを用いて空気を浴室外に排気する場合には、排気ファンユニットのファンケースに形成される排気吸込口（吸込開口）を介して本体ケース内へと導かれた浴室内の空気および他室の空気を排気ファンケース内に吸入する構造となっている。
【特許文献１】特開２００４−３４０４０７号公報（第４−６頁、第１図）
【発明の開示】
【発明が解決しようとする課題】
【０００７】
しかしながら、排気ファンユニットで本体ケース内の空気を吸入する場合には、浴室内より導入された空気や他室より導入された空気が本体ケース内で乱れを生じてしまい、排気ファンユニットによる吸込風量が低下してしまうおそれがあった。このような吸込風量の低下により、結果として排気ファンユニットによる排気風量が低減し、所定の排気風量を確保することが困難となるおそれがあった。
【０００８】
このため、シロッコファンの回転数を検出することによって吸気風量・排気風量を判断し、所定の排気風量を確保できるようにファンモータの回転制御を行う方法も提案されている。しかしながら、このような方法を用いると消費電力の増加を招くとともに、空調装置において騒音が発生しやすくなるという問題があった。
【０００９】
本発明は、上記問題に鑑みてなされたものであり、本体ケース内で発生する気流の乱れを抑制して円滑な吸気・排気を行うことが可能な送風装置を提供することを課題とする。
【課題を解決するための手段】
【００１０】
上記課題を解決するために、本発明に係る送風装置は、空気の吸入を行うために吸入開口が形成されたファンケースと、該ファンケース内に収納される回転ファンと、該回転ファンを回転させるファンモータと、該ファンモータと前記回転ファンが収納された前記ファンケースとが内設される本体ケースとを有し、該本体ケースには、前記ファンケース外側面と前記本体ケースの内側面との間を通じて前記空気を前記吸入開口へと導くための吸込口が複数形成され、前記本体ケースの内部には、一の吸込口より前記吸入開口へと導かれる空気の流れと他の吸込口より前記吸入開口へと導かれる空気の流れとを分流する分流手段が、前記ファンケースの外側面又は前記本体ケースの内側面に設けられることを特徴とする。
【００１１】
また、前記一の吸込口が、前記本体ケースの底面側において当該本体ケースの内側面と前記ファンケース外側面との隙間によって形成された底面開口であって、前記他の吸込口が、前記本体ケースの側面に形成される側面開口であってもよい。
【００１２】
また、前記底面開口は、前記本体ケースの角部に複数形成されることが好ましい。
【発明の効果】
【００１３】
本発明に係る送風装置では、本体ケースにファンケース外側面と本体ケースの内側面との間を通じて空気を吸入開口へと導く吸込口が複数形成され、本体ケースの内部に、一の吸込口より吸入開口へと導かれる空気の流れと、他の吸込口より吸込開口へと導かれる空気の流れとを分流する分流手段が設けられているので、一の吸込口より吸込開口へと導かれる空気の流れと他の吸込口より吸込開口へと導かれる空気の流れとが本体ケース内で混じり合って気流の乱れを発生させることを抑制することが可能となる。
【００１４】
特に、吸込口が複数形成される場合には、ファンケース外側面と本体ケースの内側面との間で気流が乱れやすくなるため、分流手段を設けることによって、気流の乱れをより効果的に抑制することが可能となる。
【００１５】
このように、分流手段によって空気の流れを円滑にし、気流の乱れを抑制することによって、送風装置における騒音の発生を抑制することが可能となるとともに、円滑な空気の吸入によって、換気ファンモータ１０の駆動負担を低減させることができ、消費電力の増加を抑制することが可能となる。さらに、送風装置における所望の吸込風量・排気風量を確保することが容易となる。
【００１６】
また、分流手段は、ファンケース外側面に設けられもよく、また、本体ケースの内側面に設けられてもよい。分流手段がファンケース外側面に設けられている場合であっても、本体ケースの内側面に設けられている場合であっても、分流手段を設けることによって、前記ファンケース外側面と前記本体ケースの内側面との間における気流の乱れを抑制することができるので、騒音の抑制、消費電力の増加抑制、排気風量の確保等を実現することが容易となる。
【００１７】
特に、一の吸込口が、本体ケースの底面側において本体ケースの内側面とファンケース外側面との隙間によって形成された底面開口であり、他の吸込口が、本体ケースの側面に形成される側面開口である場合には、底面開口から本体ケース内に導かれた空気は底面開口から上方向へと進む空気の流れとなり、側面開口から本体ケース内に導かれた空気は、側面開口から横方向へと進む空気の流れとなりやすいため、方向の異なる気流の導入によって、気流の乱れが生じやすくなる。このため、分流手段を設けることによって方向の異なる気流がぶつかることを抑制することができ、気流の乱れをより効果的に抑制することが可能となる。
【００１８】
また、底面開口が、本体ケースの角部に複数形成される場合には、送風装置の下側より吸込を行う空気の風量、例えば送風装置が浴室空調装置として使用される場合には浴室からの吸込風量を容易に増やすことができ、十分な吸込風量・排気風量を確保することが可能となる。
【発明を実施するための最良の形態】
【００１９】
以下、本発明に係る送風装置を備えた浴室空調装置を、図面を用いて詳細に説明を行う。
【００２０】
図１は、本発明に係る浴室空調装置を示す斜視図であり、図２は、図１に示す浴室空調装置のＡ−Ａ断面を示している。
【００２１】
浴室空調装置１は、本体ケース２と、換気ユニット３と、循環ユニット４と、フロントパネル５とを有している。
【００２２】
本体ケース２は、所定の高さを有する箱体であり、不燃性の部材、例えば製造性・コスト等を考慮して鉄等の金属によって構成されている。また、本体ケース２の底面は開放されており、開放された下部開口周縁にはフランジ２ａが形成されている。このフランジ２ａには、フロントパネル５を下方より着脱自在に装着することが可能となっている。
【００２３】
本体ケース２は、内部に換気ユニット３と循環ユニット４とを取り付けることが可能な構造となっており、換気ユニット３と循環ユニット４とを内部に設置する場合には、上部に換気ユニット３が設置され、その下に循環ユニット４が設置される。
【００２４】
また、本体ケース２の一側面には、浴室の空気を吸入するための他室吸込口２ｃが形成されている。また、また、対向する本体ケース２の他側面には、換気ユニット３により吸入された空気を浴室空調装置１の外部へ排気するための排気口２ｂが形成されている。さらに、本体ケースの他の側面には、浴室以外の他室（例えばトイレ等）の空気を吸入するための他室吸込口２ｄ（図３、図７参照）が形成されている。
【００２５】
図３は、本体ケース２に収納された換気ユニット３を底面方向より示した図である。
【００２６】
換気ユニット３は、図２、図３に示すように換気ファンユニット６と、回路基板部８とを備えている。
【００２７】
換気ファンユニット６は、主板９ａの周縁部に多数の翼９ｂが設けられる換気シロッコファン（回転ファン）９と、換気シロッコファン９を回転駆動する換気ファンモータ（ファンモータ）１０と、換気シロッコファン９を収納すると共に換気ファンモータ１０の取り付けが行われる換気ファンケース（ファンケース）１１と有している。換気シロッコファン９は、換気ファンモータ１０の上方に位置しており、換気シロッコファン９は、上方に向けて立設された換気ファンモータ１０の回転軸１０ａに固定されている。
【００２８】
換気ファンケース１１は、図２に示すように、本体ケース２の排気口２ｂ方向に延設された筒状の排気案内部１１ａと、排気案内筒部１１ａに連通する開口１１ｃが側面に形成される略円柱状の換気ファンケース本体部１１ｂとにより構成されている。なお、換気ファンケース本体部１１ｂの円柱状ケースは、換気シロッコファン９を収納するために、換気シロッコファン９よりも拡径を呈している。
【００２９】
換気シロッコファン９は、換気ファンケース本体部１１ｂの円形状空間部において、舌状部１１ｄ寄りに偏芯した状態で設置される。換気シロッコファン９が設置された換気ファンケース本体部１１ｂでは、換気シロッコファン９に対向する換気ファンケース本体部１１ｄの内壁面により、舌状部１１ｄ付近を起点とし開口１１ｃを出口とする環状の導通路１２が形成される。なお、換気シロッコファン９が換気ファンケース本体部１１ｂに対して偏芯した状態で設置されるため、導通路１２は起点から開口１１ｃに進むに従って通路幅が次第に拡幅された状態となる。
【００３０】
また、換気ファンケース本体部１１ｂの上面１１ｇには、図２に示すように、換気シロッコファン９の主板９ａを回転軸１０ａ方向から臨むようにして換気ファン吸込口（吸込開口）１１ｅ形成されている。なお、換気ユニット３が本体ケース２に設置される場合には、本体ケース２の上面と換気ファン吸込口１１ｅとの間に、図２に示すように、高さＬの空間が確保される。
【００３１】
さらに、換気ファンケース本体部１１ｂの外側面（側壁面）１１ｆには、図３〜図５に示すように、複数の分流部材１６、本実施形態においては２つの分流部材１６が設けられている。分流部材１６は、板状体であって本体ケース２の内壁面（内側面）２ｅに対して垂直となる角度で外側面１１ｆに取り付けられている。分流部材１６の端部は、本体ケース２との間に隙間が生じないように、本体ケース２の内壁面２ｅ近傍まで延設されている。また、一方の分流部材１６は、平面視で後述する開閉ユニットの底面開口と、他室吸気口２ｄとの間に位置するように形成され、他方の分流部材１６は、一の分流部材１６に対応する反対側の外側面１１ｆに形成される。なお、分流部材１６の端部は、本体ケース２との間に隙間が生じないように延設されるものには限定されず、本体ケース２との間に所定の間隔を確保するようにして延設されるものであってもよい。
【００３２】
排気案内部１１ａは、図３に示すように、一端が換気ファンケース本体部１１ｂの開口１１ｃに連結され、多端が本体ケース２の排気口２ｂに連結される構造となっている。排気案内部１１ａがこのように連結されることにより、換気ファンケース１１の内部と本体ケース２の排気口２ｂが連通して排気風路１３が形成される。
【００３３】
回路基板部８は、換気ファンユニット６の側方であって他室吸込口２ｃの近傍位置に設置される。回路基板部８の内部には、浴室空調装置１の制御を行うための制御部６０（図８（ｂ）参照）を備えた回路基板等が収納されている。また、他室吸込口２ｃは、本体ケース２の上面と換気ファン吸込口１１ｅとの間に形成される高さＬの空間に連通されており、この空間により他室吸込口２ｃから換気ファン吸込口１１ｅへと繋がる他室吸込風路１４が形成される。
【００３４】
図６は、循環ユニット４を底面方向より示した図である。
【００３５】
循環ユニット４は、図２、図６に示すように、循環ファンユニット２０と、ヒータ２１と、開閉ユニット２２とを備えている。
【００３６】
循環ファンユニット２０は、主板２５ａの周縁部に多数の翼２５ｂが設けられる循環シロッコファン（多翼ファン）２５と、循環シロッコファン２５を回転駆動する循環ファンモータ２６と、循環シロッコファン２５を収納すると共に循環ファンモータ２６の取り付けが行われる循環ファンケース（ファンケース）２７と有している。循環ファンユニット２０では、循環ファンモータ２６が循環シロッコファン２５の上方に位置しており、循環シロッコファン２５は、下方に向けて垂設された循環ファンモータ２６の回転軸２６ａに固定されている。
【００３７】
循環ファンケース２７は、図６に示すように、循環ファンユニット２０の端部に形成される吹出口２３方向に延設された筒状の循環案内部２７ａと、循環案内部２７ａに連通する開口２７ｃが側面に形成される略円柱状の循環ファンケース本体部２７ｂとにより構成されている。なお、循環ファンケース本体部２７ｂの円柱状ケースは、循環シロッコファン２５を収納するために、循環シロッコファン２５よりも拡径を呈している。
【００３８】
循環シロッコファン２５は、循環ファンケース本体部２７ｂの円形状空間部において、舌状部２７ｄ寄りに偏芯した状態で設置される。循環シロッコファン２５が設置された循環ファンケース本体部２７ｂでは、循環シロッコファン２５に対向する循環ファンケース本体部２７ｂの内面により、舌状部２７ｄを起点とし開口２７ｃを出口とする環状の導通路２８が形成される。なお、循環シロッコファン２５が循環ファンケース本体部２７ｂに対して偏芯した状態で設置されるため、導通路２８は、起点となる舌状部２７ｄ付近から開口２７ｃに進むに従って通路幅が次第に拡幅された状態となる。
【００３９】
また、循環ファンケース本体部２７ｂの下面には、図２に示すように、循環シロッコファン２５の主板２５ａを回転軸２６ａ方向から臨むようにして循環ファン吸込口２７ｅが形成されている。
【００４０】
ヒータ２１は、循環案内部２７ａの内部に設けられている。ヒータ２１として、例えばＰＴＣ（Positive Temperature Coefficient）ヒータを用いることができる。なお、ヒータ２１はＰＴＣヒータに限定されるものではなく、カーボンヒータ等の他の加熱手段を用いてもよい。
【００４１】
開閉ユニット２２は、循環ユニット４の端部であって、循環ファンユニット２０と本体ケース２内壁面２ｅとの間に配設されている。開閉ユニット２２は、中心部に設けられる開閉モータ３０と、開閉モータ３０を中心部に収納するとともに浴室の空気を換気ユニット３へと導くための底面開口３１を左右に形成する開閉ユニットフレーム３２と、底面開口３１の開閉を行う開閉シャッタ３３とを有している。開閉ユニット２２が、循環ユニット４の端部に設けられているので、底面開口３１は、本体ケース２の左右角部に形成される。
【００４２】
また、開閉シャッタ３３は、開閉ユニットフレーム３２の底面開口３１に回動自在に設けられている。開閉シャッタ３３のシャッタ軸３３ａは、開閉ユニットフレーム３２の壁面を貫通して開閉モータ３０に対してギア３０ａ、３３ｂを介して接続されている。開閉モータ３０の駆動制御は、制御部６０により行われており、制御部６０の制御に応じて開閉モータが駆動されることによってシャッタ軸３３ａが回転し、開閉シャッタ３３の開閉が行われる構造となっている。
【００４３】
フロントパネル５には、図１に示すように、底面開口３１および循環ファン吸込口２７ｅの設置位置に対応するようにして、パネル吸込口５ａが形成されている。また、フロントパネル５には、循環ユニット４の吹出口２３の設置位置に対応するようにしてパネル吹出口５ｂが形成されている。
【００４４】
このようにして構成される換気ユニット３と循環ユニット４とを本体ケース２に設置した後に、換気ファンモータ１０を駆動させて換気シロッコファン９を回転させると、他室吸込口２ｃ、２ｄの空気が換気ファンユニット６へと吸入される。また、換気ファンモータ１０を駆動させて換気シロッコファン９を回転させ、さらに、開閉モータ３０を駆動させて底面開口３１を開放させると、換気シロッコファン９の回転に伴って、底面開口３１より浴室内の空気が換気ファンユニット６に吸入される。
【００４５】
底面開口３１および他室吸込口２ｃ、２ｄを介して換気ファンユニット６へと吸入された空気は、換気ファンケース本体部１１ｂに形成された導通路１２および排気案内部１１ａにより形成された排気風路１３を介して排気口２ｂへと導かれ、浴室空調装置１より屋外へと排出される。
【００４６】
また、循環ファンモータ２６を駆動させて循環シロッコファン２５を回転させ、さらにヒータ２１を動作させると、循環シロッコファン２５の回転に伴って、浴室内の空気が循環ファン吸込口２７ｅを介して循環ファンユニット２０内に吸入される。循環ファンユニット２０へと吸入された空気は、循環ファンケース本体部２７ｂに形成された導通路２８および循環案内部２７ａにより形成された循環風路を介して吹出口２３へと導かれる。このとき、循環案内部２７ａを通過する空気は、必要に応じてヒータ２１で暖めることができるため、ヒータ２１により温風となった空気を浴室内に循環させることが可能である。
【００４７】
次に、本実施形態に係る浴室空調装置１を浴室に設置する場合について説明する。図７は、浴室空調装置１を、洗面所４２に隣接した浴室４３に設置した状態を示している。
【００４８】
浴室４３の天井パネル４３ａには、浴室空調装置１の本体ケース２を収納可能な開口部が形成されており、浴室空調装置１の本体ケース２をこの開口部より天井裏に収納することによって、浴室空調装置１が浴室４３に設置される。本体ケース２は、天井裏から吊り下げられるか、または天井パネル４３ａに固定されるようにして設置されており、固定された本体ケース２の下面に対して、フロントロントパネル５が浴室４３に露出するようにして取り付けられる。
【００４９】
浴室空調装置１の他室吸込口２ｃには、第１他室排気ダクト４４の一端が第１他室排気ダクト接続部４５を介して接続されている。また、第１他室排気ダクト４４の他端は、洗面所４２の天井に設置される洗面所排気吸込口４２ａに接続されており、第１他室排気ダクト４４によって洗面所４２と浴室空調装置１とが連通された状態となっている。
【００５０】
また、浴室空調装置１の他室吸込口２ｄには、トイレ４１の天井に形成されるトイレ排気吸込口４７に一端が連結された第２他室排気ダクト４８が、第２他室排気ダクト接続部（図示せず）を介して接続されている。
【００５１】
さらに、浴室空調装置１の排気口２ｂには、建物の外壁に設置された排気グリル５０に一端が接続された排気ダクト５１が、排気ダクト接続部５２を介して接続されている。
【００５２】
なお、浴室空調装置１に、他室吸込口２ｃ又は他室吸込口２ｄを一つだけ設けて、洗面所４２又はトイレ４１の一方の空気のみを他室吸込口を介して吸込み、吸込んだ空気を排気口２ｂを介して建物外に排気する構成としてもよい。また、浴室空調装置１に複数の他室吸込口を設け、複数の部屋（他室）の空気を吸込むような構成としてもよい。また、浴室空調装置１に他室吸込口２ｃ、２ｄを設けず、他室からの空気の吸込みを行わない構成としてもよい。
【００５３】
浴室４３には、洗濯物等を吊すためのランドリパイプ５３を設置することが可能となっている。浴室空調装置１のヒータ２１で加熱された温風をランドリパイプ５３に掛けられた洗濯物等に当てることによって、洗濯物を素早く乾かすことが可能となる。
【００５４】
また、浴室４３の入口には浴室ドア５４が設けられており、浴室ドア５４の下部には空気取入口（ガラリ）５４ａが形成されている。浴室空調装置１により浴室４３内の空気の吸込みが行われた場合には、浴室４３内の空気の吸込みに伴って、洗面所４２の空気が空気取入口５４ａを介して浴室４３内に導かれる。
【００５５】
さらに、洗面所４２の壁面には、浴室空調装置１の操作を行うための操作パネル５５が設けられている。図８ａは、操作パネル５５の一例を示した図である。操作パネル５５は、表示部５５ａと、暖房運転モードを選択する暖房モードボタン５５ｂ、涼風運転モードを選択する涼風モードボタン５５ｃと、換気運転モードを選択する換気モードボタン５５ｄと、乾燥運転モードを選択する乾燥モードボタン５５ｅと、２４時間換気モードを選択する２４時間換気モードボタン５５ｈが設けられている。
【００５６】
また、選択した運転モードを利用者が確認できるように、例えば各ボタン５５ｂ〜５５ｄに対応してランプ５５ｆが設けられており、選択された運転モードのボタン５５ｂ〜５５ｄに対応してランプ５５ｆが点灯するようになっている。さらに、タイマボタン５５ｇを設けて、設定した時間に所望の運転モードが実行開始または終了できるようにしてもよい。
【００５７】
また、操作パネル５５に設けられた操作ボタン５５ｂ〜５５ｄによってどの運転モードも選択されていない場合であって２４時間換気モードボタン５５ｈが選択されている場合には、浴室空調装置１が、２４時間換気運転モードによる運転を行う。所定の建物では２４時間換気を行うことが義務付けられており、２４時間換気では、住宅全体又は住宅の所定エリアの容積を所定の換気回数（例えば０．５回／時間）換気する必要がある。このため、一般的には、浴室空調装置１に２４時間換気運転モードを設けて、建物内の換気が行われている。
【００５８】
利用者が操作パネル５５を操作して、浴室空調装置１の運転モードの選択を行うと、図８ｂに示すように、選択された情報が回路基板部８に収納された制御部６０に伝達される。制御部６０は、ＣＰＵ（Central Processing Unit）やメモリ等で構成されており、この制御部６０の制御によってヒータ２１と、換気ファンモータ１０と、循環ファンモータ２６と、開閉モータ３０との駆動制御が行われる。制御部４１は、図示しないメモリ等に格納されたプログラム従って、利用者により選択された暖房運転モード、換気運転モード、涼風運転モードおよび乾燥運転モードに応じた制御を、ヒータ２１、換気ファンモータ１０、循環ファンモータ２６、開閉モータ３０に対して実行する。
【００５９】
次に、上述した運転モードに対応して実行される浴室空調装置１の動作について説明する。
【００６０】
＜換気運転モード・２４時間運転モードについて＞
操作パネル５５において利用者により換気モードボタン５５ｄが押下されて、換気運転モードが選択されると、制御部６０は換気運転モードによる制御動作を実行する。
【００６１】
具体的に、制御部６０は、循環ファンモータ２６を停止させて循環シロッコファン２５の回転を止めると共にヒータ２１を停止させる。また、制御部６０は、換気ファンモータ１０を駆動させて換気シロッコファン９を回転させると共に、開閉モータ３０を駆動して開閉シャッタ３３を回動させて、底面開口３１を開放させる。
【００６２】
換気シロッコファン９が回転すると、フロントパネル５のパネル吸込口５ａ、底面開口３１を介して、浴室４３の空気が換気ファン吸込口１１ｅより換気ファンケース本体部１１ｂの内部へと吸込まれる。
【００６３】
同時に、換気シロッコファン９の回転によって、洗面所４２の空気が第１他室排気ダクト４４を介して他室吸込口２ｃへと導かれ、また、トイレ４１の空気が第２他室排気ダクト４８を介して他室吸込口２ｄへと導かれて、換気ファン吸込口１１ｅより換気ファンケース本体部１１ｂ内部へと吸込まれる。
【００６４】
図９は、底面開口３１を介して導かれた浴室４３の空気が、循環ファンケース本体部２７ｂの外側面および換気ファンケース本体部１１ｂの外側面１１ｆと本体ケース２の内壁面２ｅとの間の空間を通って、換気ファン吸込口１１ｅより換気ファンケース本体部１１ｂ内部へと導かれる状態を示している（図９の矢印Ａ）。また、図９には、他室吸込口２ｃを介して導かれた洗面所４２の空気が、循環ファンケース本体部２７ｂの外側面および換気ファンケース本体部１１ｂの外側面１１ｆと本体ケース２の内壁面２ｅとの間の空間を通って、換気ファン吸込口１１ｅより換気ファンケース本体部１１ｂ内部へと導かれる状態を示している（図９の矢印Ｂ）。
【００６５】
換気シロッコファン９の回転によって、空気が換気ファンケース本体部１１ｂ内部へと導かれる場合には、空気が循環ファンケース本体部２７ｂの外側面および換気ファンケース本体部１１ｂの外側面１１ｆと本体ケース２の内壁面２ｅとの間の空間を空気が通過するため、気流の乱れを生じやすいという特徴とがある。特に、図９に示すように、浴室４３の空気は底面開口３１を介して上方向（下から換気ファン吸込口１１ｅへ向かって上方向）へと進む流れを生じ、洗面所４２等の他室の空気は、他室吸込口２ｃ、２ｄを介して横方向（水平方向から換気ファン吸込口１１ｅへ向かってやや上昇する方向）へと進む流れとなるため、換気ファン吸込口１１ｅ近傍、より具体的には、換気ファンケースの側面から換気ファン吸込口１１ｅ近傍までの空間において異なる流れの空気が混ざり合って換気ファン吸込口１１ｅへと流れ込むこととなり、気流の乱れを生ずることとなる。
【００６６】
しかしながら、本実施形態に係る浴室空調装置１では、図３〜図５、図９に示すように、換気ファンケース本体部１１ｂの外側面１１ｆに、複数（２つの）分流部材１６が設けられている。このため、分流部材１６によって、底面開口３１から上方向へと進む浴室の空気の流れと、他室吸込口２ｃ、２ｄから横方向へと進む他室の空気の流れとが混じり合うことなく（分かれた状態で）換気ファン吸込口１１ｅへと導かれることとなり、本体ケース２内における気流の乱れを抑制することができる。
【００６７】
特に、分流部材１６が、本体ケース２の内壁面２ｅに対して垂直となる角度で換気ファンケース本体部１１ｂの外側面１１ｆに取り付けられ、分流部材１６の端部が、本体ケース２との間に隙間が生じないように本体ケース２の内壁面２ｅ近傍まで延設されているので、分流部材１６によって、底面開口３１から上方向へと進む浴室４３の空気の流れと、他室吸込口２ｃ、２ｄから横方向へと進む他室の空気の流れとを確実に分割することができ、より一層気流の乱れを抑制することが可能となる。
【００６８】
また、分流部材１６によって、空気の流れを整流する効果も得ることができるため、換気ユニット３による円滑な空気の吸込を実現することができ、所望の吸込風量・排気風量を確保することが容易となる。
【００６９】
さらに、分流部材１６によって整流が行われるので、騒音の発生を抑制することが可能となる。また、円滑に空気を吸入することができるので、所定風量を確保する場合、換気ファンモータ１０の駆動負担を低減させて消費電力の増加を抑制することが可能となる。
【００７０】
また、開閉ユニット２２が、循環ユニット４の端部に設けられ、２カ所の底面開口３１が、本体ケース２の左右角部に確保されているので、浴室４３からの吸込風量を増やすことができ、十分な吸込風量を確保することが可能となる。
【００７１】
特に、底面開口３１は、本体ケース２と循環ファンケース２７との間であって循環ファンケース２７の外周に沿って設けられた空間（隙間）に位置するようにして開閉ユニットフレーム３２により形成されており、浴室４３からの吸込開口面積を従来に比べて広く確保することができるので、浴室４３からの吸込風量を従来よりも多くすることが可能となる。
【００７２】
換気ファンケース本体部１１ｂ内に吸込まれた空気は、換気ファンケース本体部１１ｂ内の導通路１２および排気案内部１１ａの排気風路１３を通って排気口２ｂへと導かれ、排気ダクト５１を通って排気グリル５０より屋外へと排気される。
【００７３】
また、換気ファンユニット６によって浴室４３内の空気が屋外に排気されるので、浴室ドア５４に設けた空気取入口５４ａから洗面所４２の空気が吸込まれることとなる。このように、換気運転モードで浴室空調装置１を稼働させることにより、浴室４３内の湯気や湿気を積極的に屋外へ排気することができるので、浴室４３の結露等を抑制することができ、カビの発生を抑えることが可能となる。
【００７４】
また、操作パネル５５において利用者により２４時間換気モードボタン５５ｈが押下されて、浴室空調装置１により２４時間運転モードでの運転が行われる場合においても、制御部６０は、上述した換気運転モードの動作と同様に、循環ファンモータ２６を停止させ、換気ファンモータを駆動させて換気シロッコファン９を回転させるとともに、開閉モータ３０を駆動して開閉シャッタ３３を回動させ、底面開口３１を開放させる。
【００７５】
このように制御部６０が、２４時間換気運転モードの運転を開始する場合には、上述した換気運転モードと同様に空気が流れることとなり、建物内の換気を行うことが可能となる。このため、２４時間換気を行う場合であっても、分流部材１６によって、底面開口３１から上方向へと進む浴室４３の空気の流れと、他室吸込口２ｃ、２ｄから横方向へと進む他室の空気の流れとを分流・整流することができるので、本体ケース２内における気流の乱れを抑制することができ、また、騒音の発生を抑制することが可能となる。
【００７６】
なお、２４時間換気運転モードでは、通常は換気ファンユニット６の換気ファンモータ１０が連続稼働されて常時換気が行われることとなるが、建物の換気回数として０．５回／時間の換気要件を満たすように換気ファンユニット６を断続稼働する構成としてもよい。
【００７７】
また、２４時間換気は必ずしも浴室４３だけの換気を目的とするものではないので、例えば、２４時間換気モードにより浴室空調装置１を稼働させる場合に、開閉シャッタ３３の回動角度を少なくして底面開口３１の開放量を少なくしてもよい。このように、底面開口３１の開放量を少なくすることによって、浴室４３から吸入される風量よりも第１他室排気ダクト４４および第２他室排気ダクト４８を介して他室より吸入される風量の方が多くなるので、建物全体の換気効率を向上させることが可能となる。
【００７８】
また、２４時間換気モードによる運転を行う場合には、換気ファンユニット６の換気シロッコファン９の回転時間が昼夜問わず長くなる傾向にあるため、換気シロッコファン９の回転速度を遅くすることによって騒音の発生を抑制することも可能である。
【００７９】
さらに、浴室空調装置１に複数の他室吸込口が設けられている場合には、他室排気ダクト接続部等に電動式のシャッタ等を設けて、シャッタの開度を変更するようにしてもよい。このようにシャッタの開度を変更することによって、他室より吸込まれる空気の量を調整することができ、住宅全体で換気される風量を所定の量に保つことが可能となる。
【００８０】
＜暖房モードについて＞
操作パネル５５において利用者により暖房モードボタン５５ｂが押下されて、暖房運転モードが選択されると、制御部６０は暖房運転モードによる制御動作を実行する。
【００８１】
具体的に、制御部６０は、換気ファンモータ１０を停止させて換気シロッコファン９の回転を止める。また、制御部６０は、開閉モータ３０を駆動させて開閉シャッタ３３を回動させて底面開口３１を閉塞させる。さらに、制御部６０は、循環ファンモータ２６を駆動させて循環シロッコファン２５を回転させると共にヒータ２１を通電させる。
【００８２】
循環シロッコファン２５が回転すると、フロントパネル５のパネル吸込口５ａを介して、循環ファン吸込口２７ｅから浴室４３の空気が吸込まれる。循環ファン吸込口２７ｅから吸込まれた空気は、循環シロッコファン２５によって循環ファンケース２７内に吸込まれる。
【００８３】
循環ファンケース２７内に吸込まれた空気は、循環ファンケース２７内に形成された導通路２８を通って循環案内部２７ａへと導かれる。その後、循環案内部２７ａへと導かれた空気は、循環案内部２７ａに設けられたヒータ２１により暖められた後に、吹出口２３およびフロントパネル５のパネル吹出口５ｂを介して浴室４３内に吹き出される。
【００８４】
このように、浴室空調装置１を暖房運転モードで動作させることにより、浴室４３内の空気を循環させながら暖房して、浴室内の温度を上げることができる。浴室空調装置１を暖房運転モードで動作させることによって、浴室４３内をあらかじめ暖めておくこと（いわゆる予備暖房）ができるので、入浴開始時に利用者が寒さを感じることなく快適に入浴を行うことが可能となる。また、入浴の最中に浴室４３内に吹き出す温風量を少なくして浴室４３を暖めること（いわゆる入浴暖房）によって、浴室の洗場で体を洗う場合等においても利用者が寒さを感じることなく快適に入浴を行うことができる。
【００８５】
なお、上述実施形態では、換気ファンモータ１０を停止させて換気シロッコファン９を回転させないこととしたが、洗面所４２等の他室から吸込んだ空気を排気するために、開閉シャッタ３３で底面開口３１を閉塞した状態で換気シロッコファン９を回転させるようにしてもよい。底面開口３１を閉塞した状態で換気シロッコファン９を回転させることにより、浴室４３内の暖められた空気が換気ファンユニット６で吸込まれにくくなるので、暖かい空気が浴室４３外に排出される（逃げてしまう）ことを防止することができる。
【００８６】
＜乾燥モードおよび涼風モードについて＞
操作パネル５５において利用者により乾燥モードボタン５５ｅが押下されて、乾燥運転モードが選択されると、制御部６０は乾燥運転モードによる制御動作を実行する。
【００８７】
具体的に、制御部６０は、換気ファンモータ１０を駆動させて換気シロッコファン９を回転させる。また、制御部６０は、開閉モータ３０を駆動させて開閉シャッタ３３を回動させ、底面開口３１を開放させる。さらに、制御部６０は、循環ファンモータ２６を駆動させて循環シロッコファン２５を回転させると共にヒータ２１を通電させる。
【００８８】
換気シロッコファン９が回転すると、フロントパネル５のパネル吸込口５ａ、底面開口３１を介して、浴室４３の空気が換気ファン吸込口１１ｅより換気ファンケース本体部１１ｂの内部へと吸込まれる。
【００８９】
同時に、換気シロッコファン９の回転によって、洗面所４２の空気が第１他室排気ダクト４４を介して他室吸込口２ｃへと導かれ、また、トイレ４１の空気が第２他室排気ダクト４８を介して他室吸込口２ｄへと導かれて、換気ファン吸込口１１ｅより換気ファンケース本体部１１ｂ内部へと吸込まれる。
【００９０】
浴室空調装置１には、図４、図５に示すように、換気ファンケース本体部１１ｂの外側面１１ｆに、複数（２つの）分流部材１６が設けられている。このため、分流部材１６によって、底面開口３１から上方向へと進む浴室の空気の流れと、他室吸込口２ｃ、２ｄから横方向へと進む他室の空気の流れとが混じり合うことなく（分かれた状態で）、換気ファン吸込口１１ｅへと導かれることとなり、本体ケース２内における気流の乱れを抑制することができる。
【００９１】
特に、分流部材１６が、本体ケース２の内壁面２ｅに対して垂直となる角度で換気ファンケース本体部１１ｂの外側面１１ｆに取り付けられ、分流部材１６の端部が、本体ケース２との間に隙間が生じないように、本体ケース２の内壁面２ｅ近傍まで延設されているので、分流部材１６によって、底面開口から上方向へと進む浴室の空気の流れと、他室吸込口２ｃ、２ｄから横方向へと進む他室の空気の流れとを確実に分割することができ、より一層気流の乱れを抑制することができる。
【００９２】
また、分流部材１６によって、空気の流れを整流する効果も得ることができるため、換気ユニット３による円滑な空気の吸込を実現することができ、所望の吸込風量・排気風量を確保することが容易となる。
【００９３】
さらに、分流部材１６によって整流が行われるので、騒音の発生を抑制することが可能となる。また、円滑に空気を吸入することができるので、換気ファンモータ１０の駆動負担を低減させて消費電力の増加を抑制することが可能となる。
【００９４】
また、開閉ユニット２２が、循環ユニット４の端部に設けられ、２カ所の底面開口３１が、本体ケース２の左右角部に確保されているので、浴室からの吸込風量を増やすことができ、十分な吸込風量を確保することが可能となる。
【００９５】
特に、底面開口３１は、本体ケース２と循環ファンケース２７との間であって循環ファンケース２７の外周に沿って設けられた空間（隙間）に位置するようにして形成されており、浴室４３からの吸込開口面積を従来に比べて広く確保することができるので、浴室からの吸込風量を従来よりも多くすることが可能となる。
【００９６】
換気ファンケース本体部１１ｂ内に吸込まれた空気は、換気ファンケース本体部１１ｂ内の導通路１２および排気案内部１１ａの排気風路１３を通って排気口２ｂへと導かれ、排気ダクト５１を通って排気グリル５０より屋外へと排気される。
【００９７】
一方で、循環シロッコファン２５が回転すると、フロントパネル５のパネル吸込口５ａを介して、循環ファン吸込口２７ｅから浴室４３の空気が吸込まれる。循環ファン吸込口２７ｅから吸込まれた空気は、循環シロッコファン２５によって循環ファンケース２７内に吸込まれる。
【００９８】
循環ファンケース２７内に吸込まれた空気は、循環ファンケース２７内に形成された導通路２８を通って循環案内部２７ａへと導かれる。その後、循環案内部２７ａへと導かれた空気は、循環案内部２７ａに設けられたヒータ２１により暖められた後に、吹出口２３およびフロントパネル５のパネル吹出口５ｂを介して浴室４３内に吹き出される。
【００９９】
このように、浴室空調装置１を乾燥モードで動作させることによって、換気ユニット３により浴室４３内の空気を屋外に排出させつつ、循環ユニット４で浴室４３内を暖めることができるので、浴室４３内のランドリパイプ５３に吊した衣類の乾燥等を行うことが可能となる。また、浴室４３内の空気の一部が屋外に排気され、空気取入口５４ａから洗面所４２等の空気を取り込むことによって浴室４３内の換気が行われるので、湿気等を排出して、洗濯物の乾燥を促進することができる。
【０１００】
なお、利用者によって操作パネル５５の涼風モードボタン５５ｃが押下されて、涼風運転モードが選択された場合、制御部６０は、ヒータ２１が停止される以外、上述した乾燥運転モードと同様の制御動作を実行する。このため、浴室空調装置１が涼風運転モードにより動作された場合であっても、上述した乾燥運転モードによる動作と同じように、分流部材１６によって、底面開口３１から上方向へと進む浴室の空気の流れと、他室吸込口２ｃ、２ｄから横方向へと進む他室の空気の流れとを分流・整流することができるので、本体ケース２内における気流の乱れを抑制することができ、また、騒音の発生を抑制することが可能となる。
【０１０１】
また、涼風運転モードにより浴室空調装置１が稼働されることによって、浴室４３内の湿度の高い空気を排気し、浴室４３内の空気を循環させながら浴室４３内の温度に応じた涼風を吹き出すことができるので、浴室空調装置１を夏場等に扇風機として使用することが可能となる。
【０１０２】
以上説明したように、本発明に係る送風装置を備えた浴室空調装置１では、分流部材１６によって、底面開口３１から上方向へと進む浴室４３の空気の流れと、他室吸込口２ｃ、２ｄから横方向へと進む他室の空気の流れとが混じり合うことなく分かれた状態で、換気ファン吸込口１１ｅへと導かれることとなるので、本体ケース２内における気流の乱れを抑制することができる。
【０１０３】
特に、分流部材１６は、本体ケース２の内壁面２ｅに対して垂直となる角度で換気ファンケース本体部１１ｂの外側面１１ｆに取り付けられ、分流部材１６の端部が、本体ケース２との間に隙間が生じないように、本体ケース２の内壁面２ｅ近傍まで延設されているので、分流部材１６によって、底面開口３１から上方向へと進む浴室４３の空気の流れと、他室吸込口２ｃ、２ｄから横方向へと進む他室の空気の流れとを確実に分割することができ、より一層気流の乱れを抑制することができる。
【０１０４】
また、分流部材１６によって、空気の流れを整流する効果も得ることができるため、換気ユニット３による円滑な空気の吸込を実現することができ、所望の吸込風量・排気風量を確保することが容易となる。
【０１０５】
さらに、分流部材１６によって整流が行われるので、騒音の発生を抑制することが可能となる。また、円滑に空気を吸入することができるので、換気ファンモータ１０の駆動負担を低減させて消費電力の増加を抑制することが可能となる。
【０１０６】
また、底面開口３１が、本体ケース２の左右角部に２カ所確保されているので、浴室からの吸込風量を容易に増やすことができ、十分な吸込風量を確保することが可能となる。特に、底面開口３１は、本体ケース２と循環ファンケース２７との間であって循環ファンケース２７の外周に沿って設けられた空間（隙間）に位置するようにして形成されており、浴室４３からの吸込開口面積を従来に比べて広くすることができるので、浴室４３からの吸込風量を十分に確保することが可能となる。
【０１０７】
以上、浴室空調装置１の実施形態を、運転モード毎に場合分けをして説明したが、本発明に係る送風装置は上述した実施形態に限定されるものではない。いわゆる当業者であれば、特許請求の範囲に記載された範疇内において各種の変更例または修正例に想到しうることは明らかであり、それらについても当然に本発明の技術的範囲に属するものと了解される。
【０１０８】
例えば、本実施形態では、分流部材１６を換気ファンケース本体部１１ｂの側壁面に設ける場合を説明したが、分流部材１６の設置場所は、必ずしも換気ファンケース本体部１１ｂの側壁面に限定されるものではなく、他の部分、例えば本体ケース２の内壁面２ｅに設けてもよい。本体ケース２の内壁面２ｅに形成される場合であっても、分流部材１６によって、底面開口から上方向へと進む浴室４３の空気の流れと、他室吸込口２ｃ、２ｄから横方向へと進む他室の空気の流れとが混じり合うことなく分かれた状態で、換気ファン吸込口１１ｅへと導かれることになるので、本体ケース２内における気流の乱れを抑制することができる。
【０１０９】
また、分流部材１６は、換気ファンケース本体部１１ｂの側壁面だけでなく、循環ファンケース本体部２７ｂの側壁面に設けるようにしてもよい。分流部材１６を循環ファンケース本体部２７ｂの側壁面に設ける場合であっても、分流部材１６によって底面開口３１から上方向へと進む浴室４３の空気の流れと、他室吸込口２ｃ、２ｄから横方向へと進む他室の空気の流れとを分けた状態で、換気ファン吸込口１１ｅへと導くことができるので、本体ケース２内における気流の乱れを抑制することができる。
【０１１０】
さらに、分流部材１６の設置数は、２カ所に限定されるものではなく、１カ所のみ、又は３カ所以上設置されていてもよい。例えば、排気吸込口が複数設けられる場合には、各排気吸込口より本体ケース２内へと空気が流れ込んで気流の乱れを生じやすくなるので、排気吸込口の設置箇所に応じて空気の流れを分流する位置に分流部材１６を設置することによって、本体ケース２の気流の乱れを効果的に抑制することが可能となる。
【０１１１】
さらに、上記実施形態では、ユニット化された循環ファンユニット２０および換気ファンユニット６を用いて説明を行ったが、ファンは必ずしもユニット化されたものに限定されるものではなく、ファン、モータ等が別体に構成されるものであってもよい。さらに、上記実施形態では、送風用のファンとしてシロッコファンを用いる場合について説明を行ったが、ファンは必ずしもシロッコファンに限定されるものではなく、ラジアルファンのような多翼ファンを用いるものであってもよい。
【０１１２】
また、上記実施形態では、換気ユニット３を循環ユニット４の上側に配置した構成例を示して説明を行ったが、本発明に係る送風装置は、循環ユニット４が換気ユニット３の上側に配置される構成としてもよい。
【０１１３】
さらに、上記実施形態では、循環ユニット４と換気ユニット３とを用いて空気の換気と循環とを別々のファンユニットで行う浴室空調装置１を説明したが、換気ファンユニット６と循環ファンユニット２０とを１台のファンユニットで兼用し、ダンパー等を用いて空気の換気および循環を制御する構造としてもよい。このような構造とした場合であっても、ファンケースにおける吸込開口が本体ケース２内にあって、本体ケースの内壁面とファンケースの外壁面との間を空気が流れて吸込開口よりファンケース内に吸入される構造であれば、ファンケースの外壁面又は本体ケースの内壁面に分流部材を設置することによって、本体ケース内における気流の乱れを抑制することが可能となる。また、本体ケースの底面側や側面に吸込開口を設けて空気を吸入する構造とすることによって、ファンユニットの吸入風量を増大させることが可能となる。
【０１１４】
また、上記実施形態に示した浴室空調装置１は、換気シロッコファン９の回転軸１０ａと循環シロッコファン２５の回転軸２６ａとを鉛直向きに配置する構成としたが、換気シロッコファン９の回転軸１０ａと循環シロッコファン２５の回転軸２６ａとを水平向きに配置する構成にしてもよい。
【０１１５】
さらに、上記実施形態に示した浴室空調装置１は、換気ファンユニット６と循環ファンユニット２０とを上下に配置する構成としたが、換気ファンユニット６と循環ファンユニット２０とを左右に配置する構成にしてもよい。
【０１１６】
また、上述した実施形態では浴室用空調装置についての説明を行ったが、本発明に係る送風装置は浴室用の空調装置に限定されるものではなく、浴室以外に用いられる空調装置であってもよい。
【図面の簡単な説明】
【０１１７】
【図１】実施形態に係る浴室空調装置を示す斜視図である。
【図２】図１に示す浴室空調装置のＡ−Ａ断面を示す側方断面図である。
【図３】実施形態に係る換気ユニットを示した底面図である。
【図４】実施形態に換気ファンケースを示した斜視図である。
【図５】実施形態における換気ユニットと循環ユニットとの構成を示した斜視図である。
【図６】実施形態に係る循環ユニットを示した底面図である。
【図７】実施形態に係る浴室空調装置を浴室に設置した状態を示す概略構成図である。
【図８】（ａ）は、実施形態に操作パネルを示した図であり、（ｂ）は、浴室空調装置の制御機能を示したブロック図である。
【図９】実施形態に係る浴室空調装置における空気の流れを示した浴室空調装置の斜視図である。
【符号の説明】
【０１１８】
１     …浴室空調装置（送風装置）
２     …本体ケース
２ａ   …（本体ケースの）フランジ
２ｂ   …（本体ケースの）排気口
２ｃ、２ｄ   …（本体ケースの）他室吸込口
２ｅ   …（本体ケースの）内壁面（内側面）
３     …換気ユニット
４     …循環ユニット
５     …フロントパネル
５ａ   …（フロントパネルの）パネル吸込口
５ｂ   …（フロントパネルの）パネル吹出口
６     …換気ファンユニット
８     …回路基板部
９     …換気シロッコファン
９ａ   …（換気シロッコファンの）主板
９ｂ   …（換気シロッコファンの）翼
１０   …換気ファンモータ（ファンモータ）
１０ａ  …（換気ファンモータの）回転軸
１１   …換気ファンケース（ファンケース）
１１ａ  …排気案内部
１１ｂ  …換気ファンケース本体部
１１ｃ  …開口
１１ｄ  …舌状部
１１ｅ  …換気ファン吸込口（吸込開口）
１１ｆ  …（換気ファンケースの側壁面）外側面
１１ｇ  …（換気ファンケースの）上面
１２   …（換気ファンケースの）導通路
１３   …排気風路
１４   …他室吸込風路
１６   …分流部材（分流手段）
２０   …循環ファンユニット
２１   …ヒータ
２２   …開閉ユニット
２３   …吹出口
２５   …循環シロッコファン
２５ａ  …（循環シロッコファンの）主板
２５ｂ  …（循環シロッコファンの）翼
２６   …循環ファンモータ
２６ａ  …（循環ファンモータの）回転軸
２７   …循環ファンケース
２７ａ  …循環案内部
２７ｂ  …循環ファンケース本体部
２７ｃ  …（循環ファンケース本体部の）開口
２７ｄ  …（循環ファンケース本体部の）舌状部
２７ｅ  …（循環ファンケース本体部の）循環ファン吸込口
２８   …（循環ファンケース本体部の）導通路
３０   …開閉モータ
３０ａ、３３ｂ  …ギア
３１   …底面開口
３２   …開閉ユニットフレーム
３３   …開閉シャッタ
３３ａ  …（開閉シャッタの）シャッタ軸
４１   …トイレ
４２   …洗面所
４２ａ  …洗面所排気吸込口
４３   …浴室
４３ａ  …天井パネル
４４   …第１他室排気ダクト
４５   …第１他室排気ダクト接続部
４７   …トイレ排気吸込口
４８   …第２他室排気ダクト
４９   …第２他室排気ダクト接続部
５０   …排気グリル
５１   …排気ダクト
５２   …排気ダクト接続部
５３   …ランドリパイプ
５４   …浴室ドア
５４ａ  …（浴室ドアの）空気取入口
５５   …操作パネル
５５ａ  …（操作パネルの）表示部
５５ｂ  …（操作パネルの）暖房モードボタン
５５ｃ  …（操作パネルの）涼風モードボタン
５５ｄ  …（操作パネルの）換気モードボタン
５５ｅ  …（操作パネルの）乾燥モードボタン
５５ｆ  …（操作パネルの）ランプ
５５ｇ  …（操作パネルの）タイマボタン
５５ｈ  …（操作パネルの）２４時間換気モードボタン
６０   …（回路基板部の）制御部
【図１】
2008025978.tif 000003
【図２】
2008025978.tif 000004
【図３】
2008025978.tif 000005
【図４】
2008025978.tif 000006
【図５】
2008025978.tif 000007
【図６】
2008025978.tif 000008
【図７】
2008025978.tif 000009
【図８】
2008025978.tif 000010
【図９】
2008025978.tif 000011